(57)【要約】【課題】カバーの開閉を簡易に行うことができるとともに、楽器全体の小型化を図ることのできる鍵盤楽器を提供する。【解決手段】閉状態において鍵盤３の上方を覆い、開状態において鍵盤３の上方を開放する鍵カバーユニット４を、閉状態において鍵盤３の後部上方を覆う後カバー部材４１と、楽器本体２の前面に沿って上下方向にスライド移動可能に構成され、閉状態において鍵盤の前面側を覆い、開状態において楽器本体２の下面側に当該下面とほぼ平行となるように配置可能となる第１の前カバー部材４２と、第１の前カバー部材５２に前カバー連結軸を介して連設され、閉状態において後端側が後カバー部材４１の前端側に当接するとともに鍵盤３の前部上方を覆い、開状態において第１の前カバー部材４２が楽器本体２の下面とほぼ平行となる位置に配置されたときに鍵盤３の前面側に配置可能となる第２の前カバー部材４３とを備えて構成した。【選択図】図６
2015184289.tif 000002
【特許請求の範囲】
【請求項１】
演奏操作される鍵盤と、
前記鍵盤を収容する楽器本体と、
前記鍵盤の上方を覆う鍵カバーユニットと、
を備え、
前記鍵カバーユニットは、前記楽器本体の前面側を下方向にスライドさせた後、前記楽器本体の下面側に配置することが可能となる第１の前カバー部材を有していることを特徴とする鍵盤楽器。
【請求項２】
前記鍵カバーユニットは、
前記第１の前カバー部材にヒンジ軸を介して連設され、前記楽器本体の前面に沿ってスライドさせた後、前記楽器本体の前面側に配置することが可能となる第２の前カバー部材を有していることを特徴とする請求項１に記載の鍵盤楽器。
【請求項３】
前記第２の前カバー部材における後端側の側部には、係止突起が設けられ、
前記楽器本体の側板内には、案内溝が上下方向に沿って形成され、
前記案内溝は、
前記係止突起の径よりも幅の広い幅広部と、
前記幅広部の下方に連続し前記係止突起の径よりも幅が狭くかつ前記ヒンジ軸の径よりも幅が広い幅狭部と、
を有していることを特徴とする請求項１又は請求項２に記載の鍵盤楽器。
【請求項４】
前記鍵カバーユニットは、
前記楽器本体の後部上方を覆う天面板の前端部にヒンジ軸を介して取り付けられ、前記ヒンジ軸の軸中心を回動中心として後方に回動するとともに起立状態を保持可能となる後カバー部材を有することを特徴とする請求項１から請求項３のいずれか一項に記載の鍵盤楽器。
【発明の詳細な説明】
【技術分野】
【０００１】
本発明は、鍵盤楽器に関するものである。
【背景技術】
【０００２】
従来、鍵盤楽器において鍵盤を覆う鍵カバー（鍵盤蓋）を楽器の内部に収納する構成が知られている。しかし、このような構成の場合、鍵カバーを収納する空間を確保するために、鍵盤楽器全体が大きくなってしまう。
鍵カバーを柔軟な素材で形成したり、細かく折り畳むことによって鍵カバーを収納する空間を小さくすることも考えられるが、鍵盤楽器の大きさに影響を与えることに変わりはない。
また、鍵盤楽器の内部には、スピーカが設けられているところ、鍵カバーを収納する位置によってはスピーカからの発音や共鳴の邪魔になり、楽音の出力に影響を及ぼすおそれもある。
【０００３】
そこで、鍵カバーを鍵盤楽器の内部に収納せずに、鍵盤楽器外側の下部に収納する構成も提案されている（例えば、特許文献１参照）。
具体的には、楽器本体内に配置された鍵盤部の前端側を覆う前蓋と鍵盤部の上部側を覆う後蓋とを屈曲連結部で屈曲自在に連結した鍵カバー（鍵盤蓋）を、蓋開閉機構である回動支持部によって、鍵盤部の下側に位置する楽器本体の下部側に移動可能に収納する。
このような構成を採用すれば、鍵盤楽器内部に鍵カバーの収納場所を確保する必要がなく、その分、鍵盤楽器全体の小型化を図ることができる。
【先行技術文献】
【特許文献】
【０００４】
【特許文献１】特開２０１０−０７２２６４号公報
【発明の概要】
【発明が解決しようとする課題】
【０００５】
しかしながら、特許文献１に記載の構成のように、屈曲連結部で前蓋と後蓋とが連結された鍵カバー全体を鍵盤楽器の下部に移動させて収納する場合、鍵カバーを移動させるためには鍵カバー全体を大きく回動させる必要がある。
このため、鍵カバーを開閉するためにある程度広いスペースが必要となる。また、鍵カバーを開閉するための動きが大きくなるため、例えば子供等が鍵盤楽器を使用する場合に、スムーズな開閉が難しいという問題がある。
【０００６】
さらに、鍵カバーが閉じている状態において、鍵盤部の前端部を覆う前側被覆部と鍵カバーの一部とが重なり合うため、その分鍵盤楽器の奥行きが大きくなるとともに、カバー（鍵盤蓋）とは別に前側被覆部を設けなければならない分部品点数も増加する。
【０００７】
本発明は以上のような事情に鑑みてなされたものであり、鍵カバーの開閉を簡易に行うことができるとともに、楽器全体の小型化を図ることのできる鍵盤楽器を提供することを目的とするものである。
【課題を解決するための手段】
【０００８】
前記課題を解決するために、本発明に係る鍵盤楽器は、
演奏操作される鍵盤と、
前記鍵盤を収容する楽器本体と、
前記鍵盤の上方を覆う鍵カバーユニットと、
を備え、
前記鍵カバーユニットは、前記楽器本体の前面側を下方向にスライドさせた後、前記楽器本体の下面側に配置することが可能となる第１の前カバー部材を有していることを特徴としている。
【発明の効果】
【０００９】
本発明によれば、鍵カバーの開閉を簡易に行うことができるとともに、楽器全体の小型化を図ることができるという効果を奏する。
【図面の簡単な説明】
【００１０】
【図１】本実施形態の鍵盤楽器の閉状態における上面図である。
【図２】本実施形態の鍵盤楽器の閉状態における要部断面図である。
【図３】（ａ）は、図１におけるａ部分の拡大図であり、（ｂ）は、図２におけるｂ部分の拡大図であり、（ｃ）は、図２におけるｃ部分の拡大図である。
【図４】図１の後カバー部材と第２の前カバー部材とを回動させた状態を示す鍵盤楽器の要部断面図である。
【図５】図４の第１の前カバー部材及び第２の前カバー部材を下方にスライド移動させた状態を示す鍵盤楽器の要部断面図である。
【図６】図５の第１の前カバー部材を楽器本体の下側に回動させた状態を示す鍵盤楽器の要部断面図である。
【図７】（ａ）は、図４におけるａ部分の拡大図であり、（ｂ）は、図６におけるｂ部分の拡大図である。
【図８】本実施形態における鍵盤楽器の開状態の上面図である。
【発明を実施するための形態】
【００１１】
図１から図８を参照しつつ、本発明に係る鍵盤楽器の一実施形態について説明する。本実施形態では、鍵盤楽器が電子ピアノやキーボード等の電子楽器である場合を例として説明する。
なお、以下に述べる実施形態には、本発明を実施するために技術的に好ましい種々の限定が付されているが、本発明の範囲を以下の実施形態及び図示例に限定するものではない。
【００１２】
図１は、本実施形態の鍵盤楽器の閉状態における上面図であり、図２は、本実施形態の鍵盤楽器の閉状態における要部断面図である。
図３（ａ）は、図１におけるａ部分の拡大図であり、図３（ｂ）は、図１におけるｂ部分の拡大図であり、図３（ｃ）は、図２におけるｃ部分の拡大図である。
また、図４から図６は、本実施形態の鍵盤楽器の鍵カバーユニットを開状態とする様子を示す要部断面図である。
また、図７（ａ）は、図４におけるａ部分の拡大図であり、図７（ｂ）は、図６におけるｂ部分の拡大図である。
図１等に示すように、本実施形態の鍵盤楽器１は、楽器本体２と、鍵盤３と、鍵カバーユニット４とを備えている。
【００１３】
図２に示すように、楽器本体２は、鍵盤３等を収容する空間である収容部２１を有し、この収容部２１の底面を構成する底面板２２と、この底面板２２の後端部（鍵盤楽器１における後ろ側の端部、図２等において右側端部）から立設された背面板２３と、これら底面板２２及び背面板２３の左右両端部にそれぞれ取り付けられた一対の側板２４と、を有している。
一対の側板２４は、楽器本体２の側面を構成し、収容部２１の左右の側部を画している。なお、図１等では一方側の側板２４のみを図示している。
また、背面板２３の上端部には、楽器本体２の後部上面を構成する天面板２５の後端部が取り付けられている。天面板２５は、一対の側板２４の上に架け渡されるとともに、鍵盤楽器１における前方に向かって張り出しており、楽器本体２の後部上方を覆うように配置されている。
【００１４】
また、楽器本体２は、鍵盤楽器１における発音動作等を制御するための図示しない基板や、スピーカ等を備えている。
本実施形態において、基板や、スピーカ等は、例えば底面板２２の下面（図２において下側の面）であって鍵盤楽器１の後部側に設けられた電子部品収容部２２２内に収納されている。
さらに、図示は省略するが、楽器本体２には、鍵盤楽器１の音量や音色等の各種機能を選択指定する複数のスイッチ等を有する図示しない操作スイッチ部が設けられている。操作スイッチ部は、例えば天面板２５の上面や側板２４等に配置されている。
なお、基板、スピーカ、操作スイッチ部等が設けられる位置等はここに例示したものに限定されない。
【００１５】
楽器本体２の収容部２１内には、鍵盤３が収容されている。また、楽器本体２内には、鍵盤３を支持する鍵盤シャーシ５が設けられている。
鍵盤３は、鍵盤シャーシ５上に配列された多数の鍵（白鍵及び黒鍵）３１からなる。各鍵３１の後端部は鍵盤シャーシ５の後端部に設けられた鍵支持部５１に回動軸５２を介して回動可能に取り付けられている。各鍵３１は、図示しない付勢部材により上方向に付勢されており、鍵３１を押し下げる押鍵操作が行われることによって、その前端側が回動軸５２の軸中心を回動中心として下方向に回動するとともに、押鍵操作が止むと、付勢部材の付勢力により押し上げられて上方向に回動し、もとの位置に復帰するように構成されている。
【００１６】
鍵カバーユニット４は、閉状態において鍵盤３の上方を覆い（図１及び図２参照）、開状態において鍵盤３の上方を開放する（図６及び図８参照）ものである。
本実施形態において、鍵カバーユニット４は、後カバー部材４１、第１の前カバー部材及び第２の前カバー部材の３つの構成部により構成されている。
【００１７】
後カバー部材４１は、閉状態において鍵盤３の後部上方を覆うものである。後カバー部材４１は、楽器本体２の後部上方を覆う天面板２５の前端部にヒンジ軸２５１を介して回動可能に取り付けられている。
本実施形態では、楽器本体２の天面板２５の左右両端部であって、鍵盤楽器１における前側端部には、後カバー部材４１を支持するヒンジ軸２５１の軸受となる後カバー支持部２５２が設けられている。ヒンジ軸２５１は、後カバー部材４１の後端部に、後カバー部材４１の長手方向に沿って挿入されるとともに、後カバー部材４１の左右両端部から先端部分が突出している。
このヒンジ軸２５１の先端部分が、後カバー支持部２５２に係止されることにより、後カバー部材４１は、ヒンジ軸２５１の軸中心を回動中心として回動可能となっている。
なお、ヒンジ軸２５１は、後カバー部材４１に挿通されているものに限定されない。例えば、ヒンジ軸は、後カバー部材４１の後端側の両側部に一体的に突出形成された突起であってもよい。このようにヒンジ軸を後カバー部材４１と一体的に形成することで、部品点数を少なくすることができる。
【００１８】
本実施形態では、後カバー部材４１は、閉状態においては、図２等に示すように、後カバー部材４１の後端部が天面板２５の上面の前側端部の上に載置されるとともに、後カバー部材４１の前端部が第２の前カバー部材４３の後端部に当接している。これにより、後カバー部材４１は、前端側が天面板２５よりも下に下がらないように保持されており、底面板２２とほぼ平行となる状態に保たれている。
【００１９】
また、図４から図６に示すように、本実施形態では、後カバー部材４１は、開状態においてヒンジ軸２５１の軸中心を回動中心として後方（図４等において右側）に回動するとともに天面板２５に対して所定の角度をもつ位置で起立状態を保持可能に構成されている。
すなわち、本実施形態の後カバー支持部２５２には、図示しないストッパ機構が設けられており、このストッパ機構により、後カバー部材４１を所定の角度の位置で保持するようになっている。なお、後カバー部材４１を所定の角度の位置で保持するストッパ機構の構成は特に限定されず、公知の構成を適用することができる。
ここで「所定の角度の位置」とは、譜面や各種の携帯端末装置、タブレット端末装置等を立て掛けるのに適した角度である。後カバー部材４１を所定の角度の位置で保持可能とすることにより、鍵カバーユニット４が開状態となった際に、後カバー部材４１に譜面立てとしての機能を持たせることが可能となる。
【００２０】
なお、上記「所定の角度の位置」は、図示例に限定されず、適宜設定が可能である。
また、「所定の角度の位置」は、１つに限定されず、複数段階に任意に角度を調整できるように構成されていてもよい。
例えば、図４から図６では、後カバー部材４１が天面板２５に対して４５度程度の角度に維持されている状態を例示しているが、この他に、７０度程度の角度をもつ位置等でも起立状態を保持できるように、段階的又は無段階的に角度調整ができるようにしてもよい。このように構成することで、後カバー部材４１の角度をユーザにとって譜面等を見やすい角度に調整することが可能となる。
また、例えば、後カバー部材４１は、天面板２５とほぼ平行に重なり合う位置まで回動可能としてもよい。このように後カバー部材４１を天面板２５とほぼ平行に重なり合う位置まで回動可能に構成することで、後カバー部材４１を譜面立てとして使用しないときには邪魔にならない状態に折り畳んでおくことができる。
【００２１】
第１の前カバー部材４２は、閉状態において鍵盤３の前端側（前面側）を覆う前側被覆部として機能するものである。
すなわち、図２に示すように、鍵カバーユニット４が閉じている閉状態においては、第１の前カバー部材４２は、鍵盤３の前端側（前面側）に配置される。
第１の前カバー部材４２の上端部は、押鍵していない状態における鍵３１の上端部とほぼ同じ高さとなっており、第１の前カバー部材４２によって鍵盤３の前端側のほぼ全体が覆われるようになっている。
【００２２】
また、第１の前カバー部材４２は、開状態において楽器本体２の下面側に当該下面とほぼ平行となるように配置可能となるものである。
本実施形態における底面板２２の下面（図２等において下側の面）には、磁石２２１が設けられており、第１の前カバー部材４２の先端側（図２に示す閉状態において下側であり、図６に示す開状態において鍵盤楽器１の奥側）であって、楽器本体２に対向する面には、鉄片４２２が設けられている。
鉄片４２２は、第１の前カバー部材４２が底面板２２の下面に配置された際（すなわち、鍵カバーユニット４が開状態となった際。図６参照）に、底面板２２の磁石２２１に対応する位置に配置されており、鍵カバーユニット４が開状態となった際には、鉄片４２２が磁石２２１に吸着し、第１の前カバー部材４２が底面板２２の下面に配置された状態を維持することができるようになっている。
なお、鉄片４２２及び磁石２２１は、互いに対応する位置に設けられていればよく、その配置等は図示例に限定されない。
【００２３】
第２の前カバー部材４３は、閉状態において後端側が後カバー部材４１の前端側に当接するとともに鍵盤３の前部上方を覆うように配置されるものである。
本実施形態では、図１及び図３（ａ）に示すように、第２の前カバー部材４３の後端部には左右両側部に突出形成された係止突起４３１が設けられている。また、側板２４の上端であって、閉状態において第２の前カバー部材４３の係止突起４３１が配置される位置に対応する箇所には、係止突起４３１が係止される係止凹部２４５が形成されている。
閉状態において係止突起４３１は係止凹部２４５に係止され、この状態において、第２の前カバー部材４３の後端側が後カバー部材４１の前端側に当接する。これにより、鍵盤３の上方が第２の前カバー部材４３及び後カバー部材４１によって覆われた状態となるとともに、後カバー部材４１の前端側が第２の前カバー部材４３の後端側に突き当てられて支持され、後カバー部材４１の前端側の位置（高さ）が保持される。
【００２４】
また、図３（ｃ）等に示すように、第２の前カバー部材４３は、ヒンジ軸である前カバー連結軸４２１を介して第１の前カバー部材４２に連設されている。
前カバー連結軸４２１は、第１の前カバー部材４２と第２の前カバー部材４３との連結部分に設けられており、第１の前カバー部材４２及び第２の前カバー部材４３は、前カバー連結軸４２１の軸中心を回動中心として相対的に回動可能となっている。
前カバー連結軸４２１の両端部は、第１の前カバー部材４２及び第２の前カバー部材４３の両端部よりも外側に突出している。
【００２５】
図２及び図３（ｃ）に示すように、本実施形態では、各側板２４の内側の面であって、鍵盤楽器１の前端側（前面側）には、案内溝２４１が上下方向（鉛直方向）に沿って形成されており、前カバー連結軸４２１の両端部は、各側板２４の案内溝２４１にそれぞれ係止されている。
本実施形態の案内溝２４１は、第２の前カバー部材４３に設けられている係止突起４３１の径よりも幅の広い幅広部２４２と、この幅広部２４２の下方に連続し係止突起４３１の径よりも幅が狭く前カバー連結軸４２１の径よりも幅が広い幅狭部２４３とから構成されており、図１及び図３（ａ）に示すように、各側板２４の上端面に開口している。
案内溝２４１は、各側板２４の下端面まで貫通して設けられていてもよいし、楽器本体２の底面板２２の裏面側の位置とほぼ同じ位置（高さ）まで形成されたものでもよい。
【００２６】
第１の前カバー部材４２は、前カバー連結軸４２１が側板２４の案内溝２４１に沿って案内されることにより、楽器本体２の前面に沿って上下方向（図２等において上下方向）にスライド移動可能に構成されている。
本実施形態では、図４及び図７（ａ）に示すように、第２の前カバー部材４３を、第１の前カバー部材４２とほぼ一直線とする位置まで鍵盤楽器１の前方向（図４等において左方向）に回動させると、前カバー連結軸４２１が側板２４の案内溝２４１に沿ってスライド移動可能な状態となる。
また、前カバー連結軸４２１を介して第１の前カバー部材４２に連結された第２の前カバー部材４３も、前カバー連結軸４２１が側板２４の案内溝２４１に沿って案内されることにより、楽器本体２の前面に沿ってスライド移動可能となっている。
そして、第２の前カバー部材４３の係止突起４３１の径は、案内溝２４１の幅広部２４２の幅より小さく幅狭部２４３の幅よりも大きいため、係止突起４３１は案内溝２４１内の幅広部２４２内をスライド移動するが、幅狭部２４３の手前で係止される。
これにより、第１の前カバー部材４２及び第２の前カバー部材４３は、係止突起４３１が係止される位置よりも下には移動せず、第１の前カバー部材４２及び第２の前カバー部材４３の下方向への抜け落ちが防止される。
【００２７】
このように、係止突起４３１が幅狭部２４３の手前で係止される位置まで第１の前カバー部材４２及び第２の前カバー部材４３が案内溝２４１に沿って案内された状態において、第１の前カバー部材４２は楽器本体２の前端側（前面側）からほぼ鉛直に垂下された状態（図５に示す状態）となる。
このとき、第１の前カバー部材４２を、前カバー連結軸４２１の軸中心を回動中心として楽器本体２の後方側に回動させることで、第１の前カバー部材４２は、図６及び図７（ｂ）に示すように、楽器本体２の下面側に当該下面とほぼ平行となるように配置される。
【００２８】
また、第２の前カバー部材４３は、開状態において第１の前カバー部材４２が楽器本体２の下面とほぼ平行となる位置に配置されたときに鍵盤３の前端側（前面側）に配置可能となる
すなわち、係止突起４３１が幅狭部２４３の手前で係止された状態において、第２の前カバー部材４３は、第１の前カバー部材４２に代わって鍵盤３の前端側（前面側）に配置され、鍵盤３の前端側（前面側）を覆う前側被覆部として機能する。
【００２９】
なお、本実施形態において案内溝２４１の幅広部２４２の長さは、第２の前カバー部材４３の長さ（第１の前カバー部材４２と連結されている前端部から後カバー部材４１が係止される後端部までの長さ）に応じて設定されている。
すなわち、鍵カバーユニット４が開状態となり、第２の前カバー部材４３が前側被覆部を構成する状態となった際には、係止突起４３１が案内溝２４１の幅狭部２４３の手前で係止されることにより第２の前カバー部材４３が所定位置に位置決めされる。
ここで、鍵盤３を押鍵する際には、前側被覆部を構成する第２の前カバー部材４３が鍵盤３の前端部の上面よりも高い位置にあると、鍵３１を一番下まで押し込んだとき等に第２の前カバー部材４３の上端部と鍵３１を押す指とが干渉して押鍵しにくくなる。
このため、図５等に示すように、第２の前カバー部材４３は、その上端部が鍵盤３の前端部の上面の高さよりも多少低い位置（例えば、鍵３１を一番下まで押し込んだ際の鍵３１の前端部の上面の高さとほぼ同じとなる位置）で止まるように位置決めされることが好ましく、幅広部２４２の長さは、第２の前カバー部材４３をこのような位置で係止できる長さに設定される。
【００３０】
次に、本実施形態における鍵盤楽器１の作用について説明する。
【００３１】
まず、鍵カバーユニット４の閉状態においては、図１及び図２に示すように、後カバー部材４１によって鍵盤３の後部上方が覆われ、第１の前カバー部材４２によって鍵盤３の前端側が覆われ、第２の前カバー部材４３によって鍵盤３の前部上方が覆われた状態となっている。
この閉状態において、図１及び図３（ａ）に示すように、第２の前カバー部材４３の係止突起４３１が楽器本体２の側板２４の係止凹部２４５に係止され、第２の前カバー部材４３及びこれに連設されている第１の前カバー部材４２が位置決めされる。
また、図３（ｂ）に示すように、第２の前カバー部材４３の後端側は後カバー部材４１の前端側に当接しており、これにより、後カバー部材４１の前端部を支持し、後カバー部材４１の位置が保持される。
【００３２】
鍵カバーユニット４を開状態とする際には、後カバー部材４１をヒンジ軸２５１の軸中心を回動中心として後方に回動させる。
例えば図４から図６に示すように、後カバー部材４１を天面板２５に対して４５度程度の角度等、所定の角度をもつ位置まで回動させて、ストッパ機構により当該位置で起立状態を保持させる。これにより、後カバー部材４１を譜面立て等として利用可能な状態となる。なお、譜面立てが不要な場合等には、後カバー部材４１を天面板２５と平行に重なり合う位置まで倒しておいてもよい。
【００３３】
次に、係止突起４３１を係止凹部２４５から外して第２の前カバー部材４３を引き起こし、前カバー連結軸４２１の軸中心を回動中心として図２において二点鎖線で示す鍵盤楽器１の前方向（図２において左方向）に第２の前カバー部材４３を回動させる。
図４に示すように、第２の前カバー部材４３を、第１の前カバー部材４２とほぼ一直線となる位置まで回動させたら、前カバー連結軸４２１及び係止突起４３１を案内溝２４１に係止させた状態で、第１の前カバー部材４２及び第２の前カバー部材４３を、楽器本体２の前面に沿って下方向（図４から図６において下方向）に移動させる。第１の前カバー部材４２及び第２の前カバー部材４３は、前カバー連結軸４２１及び係止突起４３１が、楽器本体２の側面（すなわち、側板２４）に設けられている案内溝２４１に沿って案内されることによって、楽器本体２の前面に沿って円滑にスライド移動する。
【００３４】
図５及び図７（ｂ）に示すように、係止突起４３１が案内溝２４１の幅狭部２４３の手前までくると、係止突起４３１は幅狭部２４３の手前で係止されてこれ以上下方向に移動できない状態となり、第１の前カバー部材４２及び第２の前カバー部材４３は、当該位置で位置決めされる。
この状態において、図５に示すように、第２の前カバー部材４３は第１の前カバー部材４２に代わって鍵盤３の前端側（前面側）に配置され、第１の前カバー部材４２は楽器本体２の前端側（前面側）の下方に垂下した状態となる。
【００３５】
さらに、第１の前カバー部材４２を、前カバー連結軸４２１の軸中心を回動中心として図５において二点鎖線の矢印で示す後方（図５において右方向）に回動させる。これにより、図６に示すように、第１の前カバー部材４２が楽器本体２の下面側に当該下面とほぼ平行となるように配置される。このとき、第１の前カバー部材４２に設けられた鉄片４２２が楽器本体２の底面板２２に設けられた磁石２２１に吸着することで、第１の前カバー部材４２が底面板２２の下面（楽器本体２の下面）に固定される。
図８は、本実施形態における鍵盤楽器が開状態となった様子を示す上面図である。
本実施形態の鍵盤楽器１は、図６に示すように、後カバー部材４１を天面板２５に対して所定の角度をもつ位置で起立状態を保持させ、第２の前カバー部材４３を鍵盤３の前端側（前面側）に配置させ、第１の前カバー部材４２を楽器本体２の下面側に当該下面とほぼ平行となるように配置させることにより、図８に示すように、鍵カバーユニット４が開状態となり、鍵３１を押鍵して演奏することが可能な状態となる。
【００３６】
また、開状態となった鍵カバーユニット４を再び閉状態とする際には、まず磁石２２１から鉄片４２２を引き離して第１の前カバー部材４２を引き起こす（すなわち、図６における下方向に回動させる。）。そして、第１の前カバー部材４２が楽器本体２の下方に垂下された状態となったら、第１の前カバー部材４２が鍵盤３の前端部（前面側）を覆う位置まで第１の前カバー部材４２及び第２の前カバー部材４３を上方向にスライド移動させる。
次に、第２の前カバー部材４３を、前カバー連結軸４２１の軸中心を回動中心として後方（図４において右方向）に回動させ、係止突起４３１を係止凹部２４５に係止させる。
さらに、後カバー部材４１の先端部が第２の前カバー部材４３の後端部に当接する位置まで、後カバー部材４１をヒンジ軸２５１の軸中心を回動中心として前方（図４において左方向）に回動させる。これにより、鍵カバーユニット４が閉状態となる。
【００３７】
以上のように、本実施形態によれば、閉状態において鍵盤３の後部上方を覆う後カバー部材４１と、楽器本体２の前面に沿って上下方向にスライド移動可能に構成され、閉状態において鍵盤３の前端側（前面側）を覆い、開状態において楽器本体２の下面側に当該下面とほぼ平行となるように配置可能となる第１の前カバー部材４２と、第１の前カバー部材４２に前カバー連結軸４２１を介して連設され、楽器本体２の前面に沿ってスライド移動可能に構成されており、閉状態において後端側が後カバー部材４１の前端側に当接するとともに鍵盤３の前部上方を覆い、開状態において第１の前カバー部材４２が楽器本体２の下面とほぼ平行となる位置に配置されたときに鍵盤３の前端側に配置可能となる第２の前カバー部材４３とを鍵盤楽器１が備えている。
このように、鍵カバーユニット４を開状態とした際に、後カバー部材４１、第１の前カバー部材４２及び第２の前カバー部材４３を楽器本体２の内部に収納せず、楽器本体２の外側にとどまるようにしたため、鍵盤楽器１内に鍵カバーを収納するための空間を確保する必要がない。また、楽器本体２に組み込まれる各種の電子部品を、鍵カバーによる収容空間の制約を受けずに配置することができる。これにより、鍵盤楽器１全体を小型化することができる。
また、鍵カバーが鍵盤楽器１内に設けられているスピーカからの音声出力等を邪魔しないため、音質のよい鍵盤楽器１を実現することができる。
また、閉状態においては、第１の前カバー部材４２が鍵盤３の前端側（前面側）を覆う前側被覆部として機能し、開状態においては、第２の前カバー部材４３が鍵盤３の前端側に配置されて前側被覆部として機能する。このため、別途鍵盤３の前端側（前面側）に配置される部材を設ける必要がなく、部品点数の削減及び装置の小型化を実現することができる。
また、鍵カバーユニット４が３つの構成部に分割されており、これを開閉する際には、鍵カバーユニット４を構成する第１の前カバー部材４２及び第２の前カバー部材４３が楽器本体２の外形に沿って移動する。このため、鍵カバーユニット４を開閉するための動作も小さくて済み、子供等でも容易かつ安全に鍵カバーの開閉動作を行うことができる。
また、本実施形態では、第１の前カバー部材４２及び第２の前カバー部材４３を案内する案内溝２４１が、第２の前カバー部材４３の後端側に設けられた係止突起４３１の径よりも幅の広い幅広部２４２と、この幅広部２４２の下方に連続し係止突起４３１の径よりも幅が狭くヒンジ軸である前カバー連結軸４２１の径よりも幅が広い幅狭部２４３とで構成されており、開状態において、係止突起４３１が案内溝２４１の幅狭部２４３の手前で係止されることにより、第２の前カバー部材４３が所定位置に位置決めされる。これにより、第２の前カバー部材４３及びこれに連設されている第１の前カバー部材４２が下方向に抜け落ちることがない。また、特に位置合わせ等を行わなくても、係止突起４３１が係止される位置まで第１の前カバー部材４２及び第２の前カバー部材４３をスライド移動させれば第２の前カバー部材４３が鍵盤３の前端側（前面側）に配置され、第２の前カバー部材４３を前側被覆部として機能させることができる。
また、後カバー部材４１は、開状態においてヒンジ軸２５１の軸中心を回動中心として後方に回動するとともに天面板に対して所定の角度をもつ位置で起立状態を保持可能に構成されている。これにより、後カバー部材４１を譜面立てとして機能させることができ、別途譜面立てを設ける必要がなく、部品点数の削減及び装置の小型化・軽量化を実現することができる。
【００３８】
なお、以上本発明の実施形態について説明したが、本発明は、かかる実施形態に限定されず、その要旨を逸脱しない範囲で、種々変形が可能であることは言うまでもない。
【００３９】
例えば、本実施形態では、第１の前カバー部材４２に鉄片４２２を設け、楽器本体２の底面板２２に磁石２２１を設ける構成としたが、第１の前カバー部材４２に磁石を設け、楽器本体２の底面板２２に鉄片を設けてもよい。
また、閉状態の時に第１の前カバー部材４２を楽器本体２の底面板２２に固定する構成は磁石を用いたものに限定されない。例えば、フック等により、第１の前カバー部材４２を底面板２２に係止させる構成としてもよい。
【００４０】
また、本実施形態では、閉状態において第２の前カバー部材４３の後端側が後カバー部材４１の前端側に当接することで後カバー部材４１が支持される構成としたが、後カバー部材４１を支持する構成はこれに限定されない。
例えば第２の前カバー部材４３の後端部に後方側に張り出す係止部を設け、後カバー部材４１の前端側がこの係止部の上に載置されることで支持されるようにしてもよい。第２の前カバー部材４３の後端部に係止部を設けた場合には、後カバー部材４１の重量が重いような場合でも、より確実に安定して後カバー部材４１を支持することができる。
【００４１】
また、本実施形態では、幅広部２４２と幅狭部２４３とを有する案内溝２４１に係止突起４３１を係止させることにより、第１の前カバー部材４２及び第２の前カバー部材４３の抜け落ちを防止するとともに、所定の位置に位置決めできるように構成したが、第１の前カバー部材４２及び第２の前カバー部材４３の抜け落ちを防止し、位置決めする構成はここに例示したものに限定されない。
【００４２】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
演奏操作される鍵盤と、
前記鍵盤を収容する楽器本体と、
前記鍵盤の上方を覆う鍵カバーユニットと、
を備え、
前記鍵カバーユニットは、前記楽器本体の前面側を下方向にスライドさせた後、前記楽器本体の下面側に配置することが可能となる第１の前カバー部材を有していることを特徴とする鍵盤楽器。
＜請求項２＞
前記鍵カバーユニットは、
前記第１の前カバー部材にヒンジ軸を介して連設され、前記楽器本体の前面に沿ってスライドさせた後、前記楽器本体の前面側に配置することが可能となる第２の前カバー部材を有していることを特徴とする請求項１に記載の鍵盤楽器。
＜請求項３＞
前記第２の前カバー部材における後端側の側部には、係止突起が設けられ、
前記楽器本体の側板内には、案内溝が上下方向に沿って形成され、
前記案内溝は、
前記係止突起の径よりも幅の広い幅広部と、
前記幅広部の下方に連続し前記係止突起の径よりも幅が狭くかつ前記ヒンジ軸の径よりも幅が広い幅狭部と、
を有していることを特徴とする請求項１又は請求項２に記載の鍵盤楽器。
＜請求項４＞
前記鍵カバーユニットは、
前記楽器本体の後部上方を覆う天面板の前端部にヒンジ軸を介して取り付けられ、前記ヒンジ軸の軸中心を回動中心として後方に回動するとともに起立状態を保持可能となる後カバー部材を有することを特徴とする請求項１から請求項３のいずれか一項に記載の鍵盤楽器。
【符号の説明】
【００４３】
１        鍵盤楽器
２        楽器本体
３        鍵盤
４        鍵カバーユニット
２２      底面板
２４      側板
４１      後カバー部材
４２      第１の前カバー部材
４３      第２の前カバー部材
２２１    磁石
２４１    案内溝
２４２    幅広部
２４３    幅狭部
２４５    係止凹部
２５１    ヒンジ軸
４２１    前カバー連結軸
４２２    鉄片
４３１    係止突起
【図１】
2015184289.tif 000003
【図２】
2015184289.tif 000004
【図３】
2015184289.tif 000005
【図４】
2015184289.tif 000006
【図５】
2015184289.tif 000007
【図６】
2015184289.tif 000008
【図７】
2015184289.tif 000009
【図８】
2015184289.tif 000010